(57)【要約】【課題】  所定の機械調整をユーザが行うことができ、その設定をその後の画像形成時においても有効とすることができる画像形成装置を提供することである。【解決手段】  画像データを記憶する記憶手段と、前記記憶手段に記憶されている画像データに基づき用紙に画像を形成する画像形成部と、前記画像形成部によって画像が形成された用紙に後処理を行う後処理部と、前記画像形成部および前記後処理部の機械調整を行う調整手段と、ユーザに対して情報表示したり、ユーザからの操作、指示入力を受付ける表示操作部と、少なくとも前記画像形成部によって画像形成を行う通常モードまたは前記調整手段による機械調整を行う調整モードで画像形成装置を動作させる制御手段とを備え、前記制御手段が、前記通常モードのジョブ停止中に、前記調整モードの調整のうちの一部の調整を、前記表示操作部によるユーザからの入力を調整データとして前記調整手段に行わせるようにした。【選択図】  図３
2006023475.tif 000002
【特許請求の範囲】
【請求項１】
画像データを記憶する記憶手段と、前記記憶手段に記憶されている画像データに基づき用紙に画像を形成する画像形成部と、前記画像形成部によって画像が形成された用紙に後処理を行う後処理部と、前記画像形成部および前記後処理部の機械調整を行う調整手段と、ユーザに対して情報表示したり、ユーザからの操作、指示入力を受付ける表示操作部と、少なくとも前記画像形成部によって画像形成を行う通常モードまたは前記調整手段による機械調整を行う調整モードで画像形成装置を動作させる制御手段とを備え、
前記制御手段が、前記通常モードのジョブ停止中に、前記調整モードの調整のうちの一部の調整を、前記表示操作部によるユーザからの入力を調整データとして前記調整手段に行わせる
ことを特徴とする画像形成装置。
【請求項２】
前記表示操作部が、ジョブ中断中にユーザからの前記調整データの入力を受付けることを特徴とする請求項１に記載の画像形成装置。
【請求項３】
前記制御手段が、所定ジョブを確認プリントモードで実行する際に、確認用プリントの出力後に該ジョブを中断し、
前記表示操作部が、該ジョブ中断中にユーザからの前記調整データの入力を受付け、
前記制御手段が、該入力された調整データによって前記調整手段に調整を行わせる
ことを特徴とする請求項１に記載の画像形成装置。
【請求項４】
前記制御手段が、所定ジョブをウエイトモードで実行する際に、該ジョブの実行の直前にウエイトし、
前記表示操作部が、該ウエイト中にユーザからの前記調整データの入力を受付け、
前記制御手段が、該入力された調整データによって前記調整手段に調整を行わせる
ことを特徴とする請求項１に記載の画像形成装置。
【請求項５】
所定ジョブの画像形成条件を設定する画像形成条件設定手段をさらに備え、
前記表示操作部が、前記ジョブ中断中に前記画像形成条件設定手段で用いる設定データのユーザによる入力を受付け、
前記制御手段が、該ユーザから入力された設定データを用いて前記画像形成条件設定手段に設定を行わせる
ことを特徴とする請求項３に記載の画像形成装置。
【発明の詳細な説明】
【技術分野】
【０００１】
本発明は、たとえば電子写真方式により用紙に画像形成する画像形成装置に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
ユーザがこのような画像形成装置を利用するときには、その動作に関する各種動作条件の設定を行い、画像形成装置ではこの設定された条件に基づいて、用紙に画像形成し、またその用紙に対して後処理（用紙を折って出力したり、ステイプルなど）を実行して出力する。
【０００４】
このようにして画像形成をする際、ユーザは自分で条件設定をしたものの、条件の設定ミスや細部の設定がうまく行かずに期待したとおりの出力が得られない場合がある。この場合には、出力結果を見た後に不満であれば条件設定をしなおして再度出力することになる。このとき、多部数出力の場合など出力枚数が多いと、すべてを出力しなおすのでは、大変な無駄が生じてしまう。
【０００５】
そこで、従来から、一旦出力指示を行った後にも各種設定の変更を行うことができる画像形成装置が提案されている。
【０００６】
たとえば特許文献１に記載の画像形成装置では、試しプリントと呼ばれる、１部だけ出力してその結果を確認可能なモードを設け、その試しプリントにおいて、１部出力した後に設定変更をすることができるようにしている。
【０００７】
【特許文献１】特開平８−９５４３６号公報
【発明の開示】
【発明が解決しようとする課題】
【０００８】
ところが、上述の特許文献１に記載のような従来の画像形成装置においては以下のような問題があった。
【０００９】
すなわち、特許文献１に記載の画像形成装置においては、試しプリントの際に、画像形成やその後の後処理に関する設定を調整することができるが、その調整結果が有効となるのはその試しプリントをした上で出力しようとしている出力においてのみであった。
【００１０】
このため、たとえば画像形成した用紙に後処理としてステイプルを行う際のステイプル位置を何ｍｍ上にずらすといった機械的な設定に関しては、うまく調整でき、その設定を次回以降の出力でも利用したいと考えても、その場限りとなってしまうという問題があった。
【００１１】
ところで、インラインの後処理機能の折り位置調整やプリントされる画像の位置調整などは、画像形成装置が工場から出荷されるときに画像形成用紙として所定の標準紙を用いた場合に対して設定されるため、ユーザがその標準紙とは異なる紙質の用紙を用いた場合には、微妙にずれる可能性がある。このためユーザが画像形成装置を使用する段階においてもこのような調整すなわち機械調整を行えることが望ましい。
【００１２】
ところが、このような機械調整は、ある調整が他の調整に影響を与えることもあり、このため従来は専門知識を備えたサービスマン等が画像形成装置を調整モードで動作させて調整を行っていた。しかしながら、最近は、ある程度の専門知識を有するユーザも増え、このようなユーザは厳密な出力を求めるようになってきて、サービスマンによらず、ユーザ自身で機械調整を行いたいという要望も出てきた。
【００１３】
たとえば複数種類の紙質の用紙を使用し、厳密な出力を求めるユーザの場合、それに応じた機械調整をユーザ自身で行えることが、ユーザの使い勝手を向上させることになる。
【００１４】
本発明は上記の点にかんがみてなされたもので、所定の機械調整をユーザが行うことができ、その設定をその後の画像形成時においても有効とすることができる画像形成装置を提供することを目的とする。
【課題を解決するための手段】
【００１５】
本発明は上記の目的を達成するために、画像データを記憶する記憶手段と、前記記憶手段に記憶されている画像データに基づき用紙に画像を形成する画像形成部と、前記画像形成部によって画像が形成された用紙に後処理を行う後処理部と、前記画像形成部および前記後処理部の機械調整を行う調整手段と、ユーザに対して情報表示したり、ユーザからの操作、指示入力を受付ける表示操作部と、少なくとも前記画像形成部によって画像形成を行う通常モードまたは前記調整手段による機械調整を行う調整モードで画像形成装置を動作させる制御手段とを備え、前記制御手段が、前記通常モードのジョブ停止中に、前記調整モードの調整のうちの一部の調整を、前記表示操作部によるユーザからの入力を調整データとして前記調整手段に行わせることを特徴とする。
【００１６】
また本発明は請求項１に記載の発明において、前記表示操作部が、ジョブ中断中にユーザからの前記調整データの入力を受付けることを特徴とする。
【００１７】
また本発明は請求項１に記載の発明において、前記制御手段が、所定ジョブを確認プリントモードで実行する際に、確認用プリントの出力後に該ジョブを中断し、前記表示操作部が、該ジョブ中断中にユーザからの前記調整データの入力を受付け、前記制御手段が、該入力された調整データによって前記調整手段に調整を行わせることを特徴とする。
【００１８】
また本発明は請求項１に記載の発明において、前記制御手段が、所定ジョブをウエイトモードで実行する際に、該ジョブの実行の直前にウエイトし、前記表示操作部が、該ウエイト中にユーザからの前記調整データの入力を受付け、前記制御手段が、該入力された調整データによって前記調整手段に調整を行わせることを特徴とする。
【００１９】
また本発明は請求項３に記載の発明において、所定ジョブの画像形成条件を設定する画像形成条件設定手段をさらに備え、前記表示操作部が、前記ジョブ中断中に前記画像形成条件設定手段で用いる設定データのユーザによる入力を受付け、前記制御手段が、該ユーザから入力された設定データを用いて前記画像形成条件設定手段に設定を行わせることを特徴とする。
【発明の効果】
【００２０】
本発明によれば、所定の機械調整をユーザが行うことができ、その設定をその後の画像形成時においても有効とすることができる画像形成装置を提供することができる。
【００２１】
すなわち本発明によれば、通常モードのジョブ中断時や、確認プリントモードの確認用の中断時、またウエイトモードのジョブ実行直前の停止時において、画像形成装置の機械調整を行うことができ、ユーザが望む画像形成出力を提供することができる。
【発明を実施するための最良の形態】
【００２２】
以下、本発明の実施の形態を図面を参照して説明する。
【００２３】
図１は、本発明による画像形成装置の一実施の形態の構成を示す概略断面図である。本実施の形態では画像形成装置として電子写真方式の複写機を例に挙げて説明する。
【００２４】
ここで、図１を参照して本実施の形態による画像形成装置の構成および基本動作について説明する。
【００２５】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２６】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２７】
次いで他の構成を説明すると、画像形成装置本体１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２８】
また、画像形成装置本体１００の下部には、給紙トレイ２、３、４が配置されており、それぞれに給紙手段２ａ、３ａ、４ａが設けられている。また、画像形成装置本体１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２９】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００３０】
画像形成装置本体１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００３１】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置本体１００の外部に排出される。
【００３２】
本実施の形態では、図１に示すように、画像形成装置本体１００に後処理装置３０を接続して画像形成装置を構成しており、画像形成装置本体１００から排出された用紙は後処理装置３０に導かれ、後処理装置３０においては、画像形成装置本体１００にて画像形成された用紙に対して必要に応じて後処理が施される。
【００３３】
後処理装置３０にて実施される後処理としては、たとえば、用紙を所定位置で折る処理、用紙のステイプル止め、用紙へのパンチ穴の穴あけ、などが挙げられる。
【００３４】
図２は、図１に示した画像形成装置の制御に関する構成を示すブロック図である。
【００３５】
図２に示すように、画像形成装置本体１００は、本体の全体制御を行う本体制御部２１と、原稿読み取りユニット１を有し、原稿から画像を読み取る画像入力部２２と、画像データに対して圧縮や伸長など任意の画像処理を施す画像処理部２３と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するソフトウェアプログラム、画像形成装置本体１００の動作に必要なパラメータ等を記憶する記憶部２４と、画像形成装置本体１００からユーザに対して情報表示したり、ユーザが画像形成装置本体１００に対する操作、指示等を入力する表示操作部２６とを有して構成される。
【００３６】
また、本体制御部２１は、表示操作部２６にてユーザから操作、指示された後処理を後処理装置３０にて実施するように、後処理装置３０に対する動作指示も行う。
【００３７】
記憶部２４に記憶する、本体制御部２１で実行するソフトウェアプログラムには、後述の本実施の形態の調整モードを提供する制御を行うソフトウェアプログラムが含まれる。
【００３８】
表示操作部２６は、たとえば、タッチパネル式の操作パネルと固定ボタン式の操作部とを有して構成される。この表示操作部２６は図１においては示していないが、画像形成装置本体１００の上段の、ユーザが操作しやすい位置に設けるのがよい。また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。固定ボタン式の操作部には、画像形成装置に対してユーザがコピーの実行を指示するコピー開始ボタンが含まれる。
【００３９】
本実施の形態では、表示操作部２６の操作パネルには、本体制御部２１で動作するソフトウェアプログラムによる制御の下、ユーザに対して操作の案内をする操作画面が表示されるとともに、出力される用紙の形態を示す画像のサムネイルであるサムネイル画像が表示される。また、操作パネルの表示パネル部は、ＬＣＤで構成され、表示操作部２６内のＬＣＤコントローラによって表示の設定がされる。
【００４０】
すなわち本実施の形態では、この操作パネルの表示パネル部が、サムネイル画像を表示する表示部である。
【００４１】
次に、本実施の形態の動作について図面を参照しながら詳細に説明する。
【００４２】
本実施の形態の画像形成装置本体１００は、画像形成および後処理の一連の処理（以下「ジョブ」という）が停止しているときに、ユーザが機械的な調整（図７を参照して後述する画像調整やフィニッシャー（後処理）調整、ここでは機械調整という）をすることができるようにする（調整モードで行うことができる調整のうちの一部をユーザに開放する）制御を実行する。後述するように、表示操作部２６にてユーザから調整条件が入力された場合には、この調整データは記憶部２４に記憶され、本体制御部２１箱の調整データに基づいて、後述の各種調整を行う。これが、前記画像形成部および前記後処理部の機械調整を行う調整手段である。
【００４３】
また本実施の形態の画像形成装置本体１００では、ジョブが停止しているときには、その停止に至った原因に基づいてユーザに提供する機能を異ならせる。ここでは、後述する確認プリントのために停止しているのか（このときの処理を以下では「確認プリントモード時処理」という）、それともプリント前に一時停止するウエイトモードが選択されているために停止しているのか（このときの処理を以下では「通常モード時処理」という）によって、処理を異ならせる。
【００４４】
図３は、図１に示した本実施の形態の画像形成装置における処理であって、ユーザが設定の調整を行うことを可能とする制御処理のうち通常モード時処理のフローチャートを示す図である。
【００４５】
また図４は、図１に示した本実施の形態の画像形成装置における処理であって、ユーザが設定の調整を行うことを可能とする制御処理のうち確認プリントモード時処理のフローチャートを示す図である。
【００４６】
まずユーザは、画像形成装置本体１００に対して、ジョブ実行の指示を表示操作部２６によって行う。
【００４７】
図５は、表示操作部２６の表示パネルにおける表示の一例を示す図である。
【００４８】
この図５に示す表示パネルは、ユーザがジョブについての各種設定を入力する画面であり、この画面にてたとえば原稿のセット方向、ステイプル、折り、綴じ代、倍率、濃度等の設定をジョブごとに設定することができる。ユーザはこれらの設定をしてそのジョブの実行を指示する。
【００４９】
画像形成装置本体１００の本体制御部２１ではこの指示を受けて画像形成装置本体１００の各構成に動作指示を行い、その動作指示を受けた各構成は上述のような画像形成動作を行う。
【００５０】
その後、本体制御部２１は、図３に示すように現在ジョブ停止中かどうかを監視し（Ａ−１）、ジョブの実行中であればそのまま処理を続行し、ジョブが停止中であればステップ（Ａ−２）へと進む。
【００５１】
ステップ（Ａ−２）では、本体制御部２１は、現在ジョブが停止しているのは、ユーザが確認プリントを選択したために停止しているのか、それともそれ以外、たとえばユーザが表示操作部２６のウエイトモードが設定されているなどで停止しているのかを判断する。
【００５２】
ここで、確認プリントとは、従来技術の特許文献１においては試しプリントと呼ばれていたものであり、たとえば確認用プリントとして１部（複数部数でもかまわない）だけ出力して自動的にジョブを中断し、その確認用プリントの出力結果を見た上でユーザが調整を行うことができるようにした制御処理である。
【００５３】
ステップ（Ａ−２）において今回のジョブ中断が確認プリントによるものであれば、設定データ確認画面表示処理（Ａ−３）以降の処理を行う。この設定データ確認画面表示処理以降の処理については、図４を参照しながら後述する。
【００５４】
図３のステップ（Ａ−２）において今回のジョブ中断が確認プリントによるもの以外である場合には、通常モード画面表示処理（Ａ−４）以降の処理を行う。ジョブ中断が確認プリントによるもの以外であるとは、ジョブ設定時にユーザがウエイトモードを設定したことが挙げられる。
【００５５】
ステップ（Ａ−４）では、図６に示すウエイトモードの画面を表示する。このウエイトモードは、複数のジョブを予約受付しておき所定の順番で実行する際に、そのジョブを実行する順番になったならば、ジョブ実行前に一時停止（ウエイト）し、ユーザに対して上述の各種調整の機会を提供するものである。この場合は、ウエイト時にたとえば図６に示した操作画面を表示し、この操作画面からユーザは各種調整を行うことができる。
【００５６】
図６の場合は、調整ボタン３４が選択されることによって図７の操作画面へと遷移する。
【００５７】
図７は、表示操作部２６の表示パネルにおける表示の一例を示す図であって、調整項目を選択する画面の例を示す図である。
【００５８】
ステップ（Ａ−６）では、調整画面表示処理として、図７に示す調整項目をユーザが選択する画面を表示する。この図７の操作画面には、調整項目の大分類を選択する第１の調整項目選択ボタン３５と、調整項目の小分類を選択する第２の調整項目選択ボタン３６と、この図７の操作画面を終了させる終了ボタン３７とが設けられている。
【００５９】
本実施の形態において、調整項目の大分類としては画像調整とフィニッシャー（後処理）調整とを設け、第１の調整項目選択ボタン３５にていずれかを選択するようにしている。
【００６０】
図７は第１の調整項目選択ボタン３５にて画像調整を選択した場合を示しており、この場合には調整項目の小分類として、倍率調整、タイミング調整、および片寄り調整のいずれかを第２の調整項目選択ボタン３６にて選択し、その選択した項目についてユーザが調整可能としている。
【００６１】
ここで、各項目について説明する。
（１）倍率調整
画像形成装置本体１００にてユーザが画像形成する際には、原稿のサイズから拡大または縮小して画像形成することができるが、そのときユーザはたとえば倍率８０％といった数値で指定する。ところが、これが機械内でずれて倍率８０％と指定して実際に画像形成された画像は倍率７８％になってしまうことがあり得る。そこで、この倍率調整では、倍率８０％と指定して画像形成された画像が実際に倍率８０％になるように調整することができる。
（２）タイミング調整
用紙の搬送方向での画像書き込み開始位置の調整をすることができる。
（３）片寄り調整
用紙の搬送方向に直交する方向での画像書き込み開始位置の調整をすることができる。
【００６２】
なお、調整項目の大分類として第１の調整項目選択ボタン３５にてフィニッシャー調整を選択した場合には、後処理装置３０に設けられている後処理機能についての機械調整を行うことができる。例としてはステイプル位置調整、折り位置調整、パンチ穴位置調整などが挙げられる。これらの調整もそれぞれの位置の微調整を行うことができるものであり、たとえば用紙の左側にステイプル止めを行うと設定した場合に、その左側のうち実際にステイプルを打つ位置の微調整をすることができる。この調整の例について図８を参照して説明する。
【００６３】
図８は、表示操作部２６の表示パネルにおける表示の一例を示す図であって、ステイプル位置の調整を行う画面の例を示す図である。
【００６４】
この図８の操作画面には、ステイプルが打たれる位置を表示するステイプル位置表示欄３８と、ステイプル位置を入力するステイプル位置調整用テンキー３９と、この図８の操作画面を完了させて前画面に戻る前画面ボタン４０とが設けられている。
【００６５】
この図８の例では、用紙の左側にステイプル止めを行う際に、上下２つのステイプルの距離を微調整できるようにしている。すなわち、この例ではステイプルの上下位置を調整できるようにしているが、本発明はこれに限らず左右位置を調整できるようにしてもよい。
【００６６】
上述したような各種調整がユーザによってされ、調整値すなわち調整データがそれまでと比べて変更された場合には（図３の（Ａ−７））、今後、その変更された調整データにて画像形成装置本体１００が動作するように調整データの更新を行う（Ａ−８）。この更新は、たとえば不揮発性の記憶手段である記憶部２４に記憶してある調整データを書き換えることによって行われる。本体制御部２１ではこの書き換えられた調整データに基づいた制御を行う。
【００６７】
ユーザは調整を終えたならば図７の終了ボタン３７を選択する（Ａ−９）。一方、ステップ（Ａ−９）において終了ボタン３７が選択されないうちはステップ（Ａ−６）に戻って処理を継続する。
【００６８】
ウエイトモードにて再スタートが指示（たとえばコピーボタンの押下）された場合（Ａ−１０）には中断中のジョブを再開し、本実施の形態の調整を行う制御処理は終了する。
【００６９】
一方、ステップ（Ａ−１０）において再スタートが指示されていない場合には、中止ボタン３２が選択されたかすなわちジョブキャンセルされたかを判断し（Ａ−１１）、中止ボタン３２が選択された場合にはそのジョブを中止する処理（Ａ−１２）を行った後、本実施の形態の調整を行う制御処理は終了する。
【００７０】
また、ステップ（Ａ−１１）において中止ボタン３２の選択もされない場合には、ステップ（Ａ−２）に戻って処理を継続する。
【００７１】
なお、上述のステップ（Ａ−５）から直接に（Ａ−１０）へと進んできた場合にもステップ（Ａ−１０）以降の処理は同様である。
【００７２】
次に、図４を参照して確認プリントモード時処理について説明する。なお、図４において、ステップ（Ａ−１）〜（Ａ−４）については図３と同様であるので、ここでは、図４のステップ（Ａ−３）以降の処理すなわちステップ（Ａ−３）以降について詳しく説明する。
【００７３】
図４のステップ（Ａ−２）において今回のジョブ中断が確認プリントによるものであれば、設定データ確認画面表示処理（Ａ−３）以降の処理を行う。
【００７４】
図９は、表示操作部２６の表示パネルにおける表示の一例を示す図であって、確認プリントモード時処理でのジョブ中断中の画面の例を示す図である。
【００７５】
ステップ（Ａ−３）では、図９に示す設定データ確認画面を表示する。この図９の操作画面には、現在の設定状態すなわち設定データが表示される設定状態表示欄４１と、本発明に係る調整をユーザが行う画面に遷移させる調整ボタン４２と、設定状態表示欄４１に表示されている設定状況のうち数値指定などによって設定される項目の内容変更を行う設定変更ボタン４３と、設定状態表示欄４１に表示されている設定状況のうち択一的（たとえば設定／解除の二者択一）に設定される項目の設定解除を行う設定解除ボタン４４と、再度確認コピーの出力を指示する確認コピーボタン４５と、図９の画面を終了し、確認コピーしたジョブの続きの再開を指示する終了ボタン４６とが設けられている。
【００７６】
調整ボタン４２が選択されていない状態において（Ａ−１３）、設定状態表示欄４１に表示されている設定状況を変更するときには、設定状態表示欄４１のうち変更したい項目の位置を選択（押下、マウスクリック等）した上で、設定変更ボタン４３や設定解除ボタン４４が選択されることによって実行される（Ａ−１８、Ａ−１９）。これらの設定は、今回のジョブについての設定であるため、ジョブが終了したならば記憶しておく必要がないので、たとえば揮発性の記憶手段である本体制御部２１内のメモリに記憶しておけばよい。
【００７７】
この設定が完了したならばステップ（Ａ−２０）へと進む。ステップ（Ａ−２０）以降の説明は後述する。
【００７８】
一方、図９の操作画面で調整ボタン４２がユーザによって選択された場合には、図４のステップ（Ａ−１３）から（Ａ−１４）へと進む。
【００７９】
ステップ（Ａ−１４）では、調整画面表示処理として、図７に示す調整項目をユーザが選択する画面を表示する。この処理は図３のステップ（Ａ−６）と同様であるので、ここでは詳しい説明は省略する。
【００８０】
上述したような各種調整がユーザによってされ、調整値すなわち調整データがそれまでと比べて変更された場合には（Ａ−１５）、今後、その変更された調整データにて画像形成装置本体１００が動作するように調整データの更新を行う（Ａ−１６）。この更新は、たとえば不揮発性の記憶手段である記憶部２４に記憶してある調整データを書き換えることによって行われる。本体制御部２１ではこの書き換えられた調整データに基づいた制御を行う。
【００８１】
ユーザは調整を終えたならば図７の終了ボタン３７を選択する（Ａ−１７）。一方、ステップ（Ａ−１７）において終了ボタン３７が選択されないうちはステップ（Ａ−１４）に戻って処理を継続する。
【００８２】
終了ボタン３７の選択を受けた本体制御部２１では、操作画面を図９に示した画面へと切り替える。この図９の画面にてユーザによって終了ボタン４６が選択された場合すなわち再スタートが指示された場合（Ａ−２０）には中断中のジョブを再開し、本実施の形態の調整を行う制御処理は終了する。
【００８３】
一方、ステップ（Ａ−２０）において終了ボタン４６が選択されていない場合には、表示操作部２６のうちの表示パネル以外のたとえば固定ボタンとして設けられた中止ボタン（図示せず）が選択されたかすなわちジョブキャンセルされたかを判断し（Ａ−２１）、この中止ボタンが選択された場合にはそのジョブを中止する処理（Ａ−２２）を行った後、本実施の形態の調整を行う制御処理は終了する。
【００８４】
また、ステップ（Ａ−２１）において中止ボタンの選択もされない場合には、ステップ（Ａ−２）に戻って処理を継続する。
【００８５】
なお、上述のステップ（Ａ−１９）から（Ａ−２０）へと進んできた場合にもステップ（Ａ−２０）以降の処理は同様である。
【図面の簡単な説明】
【００８６】
【図１】本発明による画像形成装置の一実施の形態の構成を示す概略断面図である。
【図２】図１に示した画像形成装置の制御に関する構成を示すブロック図である。
【図３】図１に示した本実施の形態の画像形成装置における処理であって、ユーザが設定の調整を行うことを可能とする制御処理のうち通常モード時処理のフローチャートを示す図である。
【図４】図１に示した本実施の形態の画像形成装置における処理であって、ユーザが設定の調整を行うことを可能とする制御処理のうち確認プリントモード時処理のフローチャートを示す図である。
【図５】表示操作部２６の表示パネルにおける表示の一例を示す図である。
【図６】表示操作部２６の表示パネルにおける表示の一例を示す図であって、確認プリントモード時処理でのウエイトモードにてジョブ中断中の画面の例を示す図であり、図９とは別の例を示す図である。
【図７】表示操作部２６の表示パネルにおける表示の一例を示す図であって、調整項目を選択する画面の例を示す図である。
【図８】表示操作部２６の表示パネルにおける表示の一例を示す図であって、ステイプル位置の調整を行う画面の例を示す図である。
【図９】表示操作部２６の表示パネルにおける表示の一例を示す図であって、確認プリントモード時処理でのジョブ中断中の画面の例を示す図である。
【符号の説明】
【００８７】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置本体
２１  本体制御部
２２  画像入力部
２３  画像処理部
２４  記憶部
２５  印刷制御部
２６  表示操作部
３０  後処理装置
３４  調整ボタン
３５  第１の調整項目選択ボタン
３６  第２の調整項目選択ボタン
３７  終了ボタン
３８  ステイプル位置表示欄
３９  ステイプル位置調整用テンキー
４０  前画面ボタン
４１  設定状態表示欄
４２  調整ボタン
４３  設定変更ボタン
４４  設定解除ボタン
４５  確認コピーボタン
４６  終了ボタン
【図１】
2006023475.tif 000003
【図２】
2006023475.tif 000004
【図３】
2006023475.tif 000005
【図４】
2006023475.tif 000006
【図５】
2006023475.tif 000007
【図６】
2006023475.tif 000008
【図７】
2006023475.tif 000009
【図８】
2006023475.tif 000010
【図９】
2006023475.tif 000011